(57)【要約】【課題】レンズバレルにおいて、簡易な構成で、熱膨張による光学部材への負荷を軽減しながら防水性を高めることができる。【解決手段】レンズバレルは、弾性を有する環状の防水シールと、前記防水シールと接する第１接触面を有する板状の第１光学部材と、前記第１光学部材を収容する筒部を有するレンズ枠と、前記防水シールと接する第２接触面を有し、前記第１光学部材の隣に位置する第２光学部材と、を備え、前記防水シールは、前記第１接触面、前記第２接触面、及び前記筒部のそれぞれを付勢している。【選択図】図２
2019219486.tif 000002
【特許請求の範囲】
【請求項１】
弾性を有する環状の防水シールと、
前記防水シールと接する第１接触面を有する板状の第１光学部材と、
前記第１光学部材を収容する筒部を有するレンズ枠と、
前記防水シールと接する第２接触面を有し、前記第１光学部材の隣に位置する第２光学部材と、を備え、
前記防水シールは、前記第１接触面、前記第２接触面、及び前記筒部のそれぞれを付勢している、
レンズバレル。
【請求項２】
前記第１光学部材は、第１レンズであり、
前記第２光学部材は、前記第１光学部材に対する被写体の反対側に位置する第２レンズである、
請求項１に記載のレンズバレル。
【請求項３】
前記レンズ枠に直接または間接に固定され、前記第１光学部材に対する前記第２光学部材の反対側に位置する第３光学部材をさらに備え、
前記第１光学部材は、前記防水シールによって光軸方向に沿って付勢されて前記第３光学部材と接する、
請求項１または請求項２に記載のレンズバレル。
【請求項４】
前記第３光学部材は、前記光軸方向に沿って前記レンズ枠に当てつけられる、
請求項３に記載のレンズバレル。
【請求項５】
前記第１光学部材の他に１つ以上の光学部材をさらに備え、
前記第１光学部材、及び前記１つ以上の光学部材は、前記防水シールによって光軸方向に沿って付勢されている、
請求項１から請求項４のいずれか１項に記載のレンズバレル。
【請求項６】
前記第１光学部材の他に１つ以上の光学部材をさらに備え、
前記第１光学部材は、最も被写体側に位置する、
請求項１から請求項５のいずれか１項に記載のレンズバレル。
【請求項７】
請求項１から請求項６のいずれか１項に記載のレンズバレルを備える、
撮像装置。
【発明の詳細な説明】
【技術分野】
【０００１】
本発明の一態様は、カメラなどの撮像装置に採用されるレンズバレルなどに関する。
【背景技術】
【０００２】
撮像装置では、複数のレンズにより構成された光学系が用いられることがある。このような撮像装置は、たとえば特許文献１などに開示されている。
【先行技術文献】
【特許文献】
【０００３】
【特許文献１】特開２００７−１５５７６０号公報
【発明の概要】
【発明が解決しようとする課題】
【０００４】
スマートフォンおよび自動車などに搭載されたカメラならびにデジタルカメラといった撮像装置の使用環境は様々である。具体的には、晴天時などの良好な環境下だけでなく、雨天時、高温時又は低温時といったシビアな環境下でも使用される。特許文献１の撮像装置では、環境温度の変化によるレンズの熱膨張に対する歪対策が施されている。しかしながら、防水対策が施されていないため、簡易な構成で、熱膨張によるレンズまたはフィルタなどの光学部材への負荷を軽減しながら防水性の高い撮像装置が求められる。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
弾性を有する環状の防水シール（１１）と、
前記防水シールと接する第１接触面（２１ａ）を有する板状の第１光学部材（２１）と、
前記第１光学部材を収容する筒部（１２ａ）を有するレンズ枠（１２）と、
前記防水シールと接する第２接触面（２２ａ）を有し、前記第１光学部材の隣に位置する第２光学部材（２２）と、を備え、
前記防水シールは、前記第１接触面、前記第２接触面、及び前記筒部のそれぞれを付勢している、
レンズバレルである。
【０００７】
上記構成のレンズバレルによれば、たとえば、環境温度の変化によって第１光学部材が膨張したり収縮したりする場合においても、第１光学部材の第１接触面及び第２光学部材の第２接触面を付勢する防水シールが変形することで、第１光学部材の膨張または収縮を吸収することができる。これにより、レンズまたはフィルタなどの光学部材に加わる負荷を軽減することができるので、レンズの歪、レンズの割れ、及びレンズコーティングのクラックなどを防ぐことができる。また、防水シールが筒部をさらに付勢することで、第１光学部材と筒部との間を封止することができるので、レンズ枠の内部への水分の侵入をより確実に防ぐことができる。すなわち、１つの防水シールによって歪対策及び防水対策の両方を実現することができる。したがって、簡易な構成で、熱膨張による光学部材への負荷を軽減しながら防水性を高めることができる。
【０００８】
上記レンズバレルにおいて、好ましくは、
前記第１光学部材は、第１レンズであり、
前記第２光学部材は、前記第１光学部材に対する被写体の反対側に位置する第２レンズである。
【０００９】
上記構成のレンズバレルによれば、第１レンズに対する被写体の反対側への水分の侵入を防ぐことができる。
【００１０】
上記レンズバレルにおいて、好ましくは、
前記レンズ枠に直接または間接に固定され、前記第１光学部材に対する前記第２光学部材の反対側に位置する第３光学部材（１３）をさらに備え、
前記第１光学部材は、前記防水シールによって光軸方向に沿って付勢されて前記第３光学部材と接する。
【００１１】
上記構成のレンズバレルによれば、レンズ枠に剛的に固定された第３光学部材に第１光学部材を光軸方向に押さえつけることができるので、第１光学部材の光軸方向の位置を第３光学部材に基づき定めることができる。これにより、第１光学部材をレンズ枠における設計通りの位置に配置することができる。
【００１２】
上記レンズバレルにおいて、好ましくは、
前記第３光学部材は、前記光軸方向に沿って前記レンズ枠に当てつけられる。
【００１３】
上記構成のレンズバレルによれば、レンズ枠に対する第３光学部材の光軸方向の位置、及びレンズ枠に対する第３光学部材の傾きなどの精度を向上させることができるので、全ての光学部材が収容されるレンズ枠の筒部の寸法精度を向上させることができる。これにより、レンズ枠の筒部における各光学部材の光軸方向の位置の精度を向上させることができるので、高い解像度を有するレンズ系を実現することができる。特に、たとえば、第１光学部材が第１レンズである場合において、第３光学部材に当たる第１レンズの光軸方向の位置の精度を効果的に向上させることができる。
【００１４】
上記レンズバレルにおいて、好ましくは、
前記第１光学部材の他に１つ以上の光学部材（２２，２３，２４）をさらに備え、
前記第１光学部材、及び前記１つ以上の光学部材は、前記防水シールによって光軸方向に沿って付勢されている。
【００１５】
上記構成のレンズバレルによれば、２つ以上の光学部材の歪対策を１つの防水シールによって達成することができるので、部品点数を削減し、レンズバレルの構造を簡易にすることができるので、レンズバレルの製造工程が複雑化することを防ぐとともに、製造コストを低減することができる。
【００１６】
上記レンズバレルにおいて、好ましくは、
前記第１光学部材の他に１つ以上の光学部材をさらに備え、
前記第１光学部材は、最も被写体側に位置する。
【００１７】
上記構成のレンズバレルによれば、第１光学部材において水分の侵入を防ぐことができるので、レンズ枠の内部におけるより広い空間を防水することができる。
【００１８】
上記いずれかのレンズバレルは、カメラなどの撮像装置に好適に適用される。
【００１９】
上記構成の撮像装置によれば、たとえば、環境温度の変化によって第１光学部材が膨張したり収縮したりする場合においても、第１光学部材の第１接触面及び第２光学部材の第２接触面を付勢する防水シールが変形することで、第１光学部材の膨張または収縮を吸収することができる。これにより、レンズまたはフィルタなどの光学部材に加わる負荷を軽減することができるので、レンズの歪、レンズの割れ、及びレンズコーティングのクラックなどを防ぐことができる。また、防水シールが筒部をさらに付勢することで、第１光学部材と筒部との間を封止することができるので、レンズ枠の内部への水分の侵入をより確実に防ぐことができる。すなわち、１つの防水シールによって歪対策及び防水対策の両方を実現することができる。したがって、簡易な構成で、熱膨張による光学部材への負荷を軽減しながら防水性を高めることができる。
【図面の簡単な説明】
【００２０】
【図１】図１は、本実施形態のレンズバレルの分解斜視図である。
【図２】図２は、本実施形態のレンズバレルの断面図である。
【発明を実施するための形態】
【００２１】
本発明のレンズバレルは、弾性を有する環状の防水シールと、防水シールと接する第１接触面を有する板状の第１レンズと、第１光学部材を収容する筒部を有するレンズ枠と、防水シールと接する第２接触面を有し、第１光学部材の隣に位置する第２光学部材と、を備える構成において、防水シールが、第１接触面、第２接触面、及び筒部のそれぞれを付勢している点を特徴の一つとしている。
【００２２】
なお、本明細書では、レンズの中心位置であって、撮像素子に入射する光の中心位置を「光軸」と称する。レンズに対して撮像素子とは反対側に位置する撮像対象を「被写体」と称する。撮像素子に対して被写体が位置する方向を「フロント側」または「光軸方向前方」と称し、被写体に対して撮像素子が位置する方向を「リア側」または「光軸方向後方」と称する。
【００２３】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２４】
＜１．実施形態＞
本発明の実施形態について、図面を参照しながら説明する。図１は、本実施形態のレンズバレルの分解斜視図である。図２は、本実施形態のレンズバレルの断面図である。図１は、フロント側から見た図である。
【００２５】
各図面にはｘ軸、ｙ軸およびｚ軸を示している。レンズの光軸に平行な軸であって、撮像素子から見て被写体へ向いている軸を「ｚ軸」と定義する。ｚ軸に垂直な軸を「ｘ軸」と定義する。また、ｚ軸およびｘ軸の両方に垂直な軸を「ｙ軸」と定義する。ここでは、ｘ軸、ｙ軸およびｚ軸は、右手系の３次元の直交座標を形成する。以下、ｚ軸の矢印方向をｚ軸＋側、矢印とは逆方向をｚ軸−側と呼ぶことがあり、その他の軸についても同様である。つまり、ｚ軸に沿って、ｚ軸＋側が「フロント側」または「光軸方向前方」であり、ｚ軸−側が「リア側」または「光軸方向後方」である。
【００２６】
図１及び図２に示されるように、本実施形態の撮像装置は、レンズバレル１、基板４１及び撮像素子４２を含んで構成される。なお、図１では、基板４１及び撮像素子４２を図示していない。レンズバレル１は、防水パッキン１１、レンズ枠１２、押さえ環１３、間隔環１６、第１レンズ２１、第２レンズ２２、第３レンズ２３、及び第４レンズ２４を含んで構成される。
【００２７】
＜基板４１＞
図２に示されるように、基板４１は、レンズバレル１に対する被写体の反対側に位置し、撮像素子４２を含む電子部品が搭載されたリジッド基板である。撮像素子４２は、本発明でいう「撮像部」の一具体例である。撮像素子４２は、照射された光を電気信号に変換する光電変換素子であり、例えばＣ−ＭＯＳセンサやＣＣＤなどであるが、これらに限定されるものではない。また、撮像装置においては、撮像素子４２以外の撮像機能を要する撮像部を採用してもよい。撮像素子４２により取得された電気信号は、基板４１に搭載された電子部品により所定の電気処理または信号処理が施された後、撮像装置の外部に画像データとして出力される。
【００２８】
＜防水パッキン１１＞
図１及び図２に示されるように、防水パッキン１１は、弾性を有する環状の部材である。本実施形態では、防水パッキン１１は、第１レンズ２１と第２レンズ２２との間に設けられる。防水パッキン１１は、たとえば、ゴムなどの弾性部材により形成された円環状の部材であり、後述するレンズ枠１２の大径部１２ｃの径と略同じ外径を有する。防水パッキン１１は、本発明でいう「防水シール」の一具体例である。
【００２９】
＜レンズ枠１２＞
レンズ枠１２は、筒部１２ａを含んで構成される。本実施形態では、レンズ枠１２は、たとえば、樹脂又は金属などにより形成される。筒部１２ａは、光軸を中心とし、光軸方向に伸びる円筒形状を有する。詳細には、筒部１２ａの内面には、大径部１２ｃ、小径部１２ｄ及びテーパー部１２ｅが、リア側に向かってこの順で連続するように形成される。大径部１２ｃは、光軸を中心軸とする円筒形状を有する。大径部１２ｃの内面は、防水パッキン１１と一周にわたって接する第３接触面１２ｆを含む。小径部１２ｄは、大径部１２ｃの径より小さい径を有し、光軸を中心軸とする円筒形状を有する。テーパー部１２ｅは、フロント側において小径部１２ｄの径より小さい径を有し、光軸を中心としてリア側に向かって拡径する形状を有する。段差１２ｂは、小径部１２ｄとテーパー部１２ｅとの間に形成され、フロント側に向いた円環状の平面を有する。
【００３０】
筒部１２ａは、第１レンズ２１、第２レンズ２２、第３レンズ２３及び第４レンズ２４を収容する。本実施形態では、第１レンズ２１は、第１レンズ２１、第２レンズ２２、第３レンズ２３及び第４レンズ２４の中で、最も被写体側に位置するレンズである。第２レンズ２２は、第１レンズ２１に対する被写体の反対側において、防水パッキン１１を挟んで第１レンズ２１の隣に位置する。具体的には、第１レンズ２１、防水パッキン１１、第２レンズ２２、間隔環１６、第３レンズ２３及び第４レンズ２４は、リア側に向かってこの順で連続するように筒部１２ａの内部に収容される。
【００３１】
＜第３レンズ２３及び第４レンズ２４＞
より具体的には、第３レンズ２３及び第４レンズ２４は、小径部１２ｄの径より小さく、テーパー部１２ｅのフロント側の径より大きい外径を有する円柱形状のレンズである。第３レンズ２３及び第４レンズ２４は、たとえば、樹脂又はガラスなどにより形成される。第４レンズ２４は、外周面が小径部１２ｄの内面と対向し、リア側が段差１２ｂと当接するように小径部１２ｄの内部に設けられる。第３レンズ２３は、外周面が小径部１２ｄの内面と対向し、リア側が第４レンズ２４と当接するように小径部１２ｄの内部に設けられる。第３レンズ２３及び第４レンズ２４は、本発明でいう「光学部材」の一具体例である。
【００３２】
＜間隔環１６＞
本実施形態では、間隔環（スペーサ）１６は、たとえば、樹脂又は金属などにより形成された円環状の部材であり、大径部１２ｃの径より小さく、小径部１２ｄの径より大きい外径を有する。間隔環１６は、第２レンズ２２と第３レンズ２３との間の間隔を維持するために用いられる。間隔環１６は、外周面が大径部１２ｃの内面と対向し、リア側が第３レンズ２３と当接するように大径部１２ｃの内部に設けられる。
【００３３】
＜第２レンズ２２＞
第２レンズ２２は、たとえば、樹脂又はガラスなどにより形成された円柱形状のレンズであり、大径部１２ｃの径より小さく、小径部１２ｄの径より大きい外径を有する。第２レンズ２２は、外周面が大径部１２ｃの内面と対向し、リア側が間隔環１６と当接するように大径部１２ｃの内部に設けられる。第２レンズ２２は、防水パッキン１１と接する第２接触面２２ａをフロント側に有する。第２接触面２２ａは、略円環形状をしており、全周にわたって防水パッキン１１と接する。第２レンズ２２は、本発明でいう「第２光学部材」の一具体例である。
【００３４】
＜第１レンズ２１＞
第１レンズ２１は、たとえば、樹脂又はガラスなどにより形成された円柱形状のレンズであり、大径部１２ｃの径より小さく、小径部１２ｄの径より大きい外径を有する。第１レンズ２１は、外周面が大径部１２ｃの内面と対向し、フロント側が押さえ環１３と当接するように大径部１２ｃの内部に設けられる。第１レンズ２１は、第２レンズ２２の第２接触面２２ａと対向し、防水パッキン１１と接する第１接触面２１ａをリア側に有する。第１接触面２１ａは、略円環形状をしており、全周にわたって防水パッキン１１と接する。また、第１レンズ２１のフロント側の端部２１ｂは、押さえ環１３と当接し、略円環形状を有する。第１レンズ２１は、本発明でいう「第１光学部材」の一具体例である。
【００３５】
＜押さえ環１３＞
押さえ環１３は、レンズ枠１２に直接に固定され、第１レンズ２１に対する第２レンズ２２の反対側に位置する。本実施形態では、押さえ環１３は、たとえば、樹脂又は金属などにより形成され、光軸方向に沿ってレンズ枠１２に当てつけられる。詳細には、押さえ環１３は、筒部１３ａと、テーパー部１３ｂと、を含んで構成される。テーパー部１３ｂは、リア側において第１レンズ２１の外径より小さい径を有し、光軸を中心としてフロント側に向かって拡径する形状を有する。筒部１３ａは、テーパー部１２ｅのリア側に位置し、光軸を中心軸としてリア側に延びる略円筒形状を有する。段差１３ｃは、テーパー部１３ｂと筒部１３ａとの間に形成され、リア側に向いた円環状の平面を有する。押さえ環１３は、たとえば、段差１３ｃとレンズ枠１２のフロント側の端部１２ｇとが当接する位置で、レンズ枠１２に固定される。押さえ環１３のレンズ枠１２への固定は、たとえば、筒部１３ａの内面とレンズ枠１２の外面との螺合により実現される。押さえ環１３は、本発明でいう「第３光学部材」の一具体例である。
【００３６】
＜各レンズの固定＞
防水パッキン１１は、各レンズが固定された状態において、第１接触面２１ａ、第２接触面２２ａ、及び筒部１２ａの第３接触面１２ｆのそれぞれを付勢する。詳細には、第４レンズ２４、第３レンズ２３、間隔環１６、第２レンズ２２、防水パッキン１１及び第１レンズ２１は、この順でレンズ枠１２の筒部１２ａにフロント側から挿入される。そして、押さえ環１３は、段差１３ｃとレンズ枠１２のフロント側の端部１２ｇとが当接するまでレンズ枠１２にねじ込まれる。すなわち、押さえ環１３の段差１３ｃは、光軸方向に沿ってレンズ枠１２の端部１２ｇに当てつけられる。
【００３７】
この状態において、防水パッキン１１は、第１レンズ２１及び第２レンズ２２に挟まれることで変形し、第１接触面２１ａ、第２接触面２２ａ及び第３接触面１２ｆと密着する。すなわち、防水パッキン１１は、第１レンズ２１、第２レンズ２２、間隔環１６、第３レンズ２３、及び第４レンズ２４を光軸方向に沿って付勢する。これにより、第１レンズ２１、第２レンズ２２、第３レンズ２３、及び第４レンズ２４を防水パッキン１１の復元力によって固定することができるので、レンズを歪みにくくすることができる。
【００３８】
また、防水パッキン１１は、筒部１２ａを径方向外側に付勢する。これにより、防水パッキン１１が、筒部１２ａにおける第３接触面１２ｆと一周にわたって接触するとともに、第１レンズ２１における第１接触面２１ａと一周にわたって接触するので、第１レンズ２１のリア側へ水分が侵入することを防ぐことができる。
【００３９】
また、第１レンズ２１は、防水パッキン１１によって光軸方向に沿ってフロント側に付勢されながらフロント側の端部２１ｂが押さえ環１３の段差１３ｃと当接する。つまり、レンズ枠１２に剛的に固定された押さえ環１３に第１レンズ２１を光軸方向に押さえつけることができるので、第１レンズ２１の光軸方向の位置を押さえ環１３の段差１３ｃの位置に基づき定めることができる。これにより、第１レンズ２１をレンズ枠１２における設計通りの位置に配置することができる。
【００４０】
また、第４レンズ２４は、防水パッキン１１によって光軸方向に沿ってリア側に付勢されながらレンズ枠１２の段差１２ｂと当接する。つまり、レンズ枠１２そのものに第４レンズ２４を光軸方向に押さえつけることができるので、第４レンズ２４、ならびに第４レンズ２４と直接または間接に接する第２レンズ２２及び第３レンズ２３の光軸方向の位置をレンズ枠１２の段差１２ｂの位置に基づき定めることができる。これにより、第２レンズ２２、第３レンズ２３及び第４レンズ２４をレンズ枠１２における設計通りの位置に配置することができる。
【００４１】
なお、レンズ枠１２のフロント側の端部１２ｇ、及び第１レンズ２１のフロント側の端部２１ｂが同じ段差１３ｃと当接する構成、すなわち端部１２ｇ及び端部２１ｂが光軸方向について同じ位置で押さえ環１３と接する構成について説明したが、端部１２ｇ及び端部２１ｂは、それぞれ異なる位置で押さえ環１３と接する構成であってもよい。具体的には、たとえば、段差１３ｃの代わりに、フロント側に位置する段差及びリア側に位置する段差が設けられる場合において、端部２１ｂが、フロント側に位置する段差と当接し、端部１２ｇが、リア側に位置する段差と当接する構成であってもよい。
【００４２】
上記構成のレンズバレルによれば、たとえば、環境温度の変化によって第１レンズ２１が膨張したり収縮したりする場合においても、第１レンズ２１の第１接触面２１ａ及び第２レンズ２２の第２接触面２２ａを付勢する防水パッキン１１が変形することで、第１レンズ２１の膨張または収縮を吸収することができる。これにより、レンズに加わる負荷を軽減することができるので、レンズの歪、レンズの割れ、及びレンズコーティングのクラックなどを防ぐことができる。また、防水パッキン１１が筒部１２ａをさらに付勢することで、第１レンズ２１と筒部１２ａとの間を封止することができるので、レンズ枠１２の内部への水分の侵入をより確実に防ぐことができる。すなわち、１つの防水パッキン１１によって歪対策及び防水対策の両方を実現することができる。したがって、簡易な構成で、熱膨張によるレンズへの負荷を軽減しながら防水性を高めることができる。
【００４３】
また、上記構成のレンズバレルでは、第２レンズ２２が、第１レンズ２１に対する被写体の反対側に位置するため、第１レンズ２１に対する被写体の反対側への水分の侵入を防ぐことができる。
【００４４】
また、上記構成のレンズバレルでは、押さえ環１３が、レンズ枠１２に直接に固定され、第１レンズ２１に対する第２レンズ２２の反対側に位置するため、レンズ枠１２に剛的に固定された押さえ環１３に第１レンズ２１を光軸方向に押さえつけることができる。これにより、第１レンズ２１の光軸方向の位置を押さえ環１３に基づき定めることができるので、第１レンズ２１をレンズ枠１２における設計通りの位置に配置することができる。
【００４５】
また、上記構成のレンズバレルでは、押さえ環１３が、光軸方向に沿ってレンズ枠１２に当てつけられるため、レンズ枠１２に対する押さえ環１３の光軸方向の位置、及びレンズ枠１２に対する押さえ環１３の傾きなどの精度を向上させることができるので、全ての光学部材が収容されるレンズ枠１２の筒部１２ａの寸法精度を向上させることができる。これにより、レンズ枠１２の筒部１２ａにおける各光学部材の光軸方向の位置の精度を向上させることができるので、高い解像度を有するレンズ系を実現することができる。特に、押さえ環１３に当たる第１レンズ２１の光軸方向の位置の精度を効果的に向上させることができる。
【００４６】
また、上記構成のレンズバレルでは、第１レンズ２１、第２レンズ２２、第３レンズ２３及び第４レンズ２４が、防水パッキン１１によって光軸方向に沿って付勢されているため、２つ以上のレンズの歪対策を１つの防水パッキン１１によって達成することができる。これにより、部品点数を削減し、レンズバレル１の構造を簡易にすることができるので、レンズバレル１の製造工程が複雑化することを防ぐとともに、製造コストを低減することができる。
【００４７】
また、本実施形態のレンズバレルでは、第１レンズ２１が、最も被写体側に位置するレンズであるため、第１レンズ２１において水分の侵入を防ぐことができるので、レンズ枠１２の内部におけるより広い空間を防水することができる。
【００４８】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００４９】
本実施形態のレンズバレルでは、第１レンズ２１が、「第１光学部材」の一具体例である構成について説明したが、光学フィルタなどの円板形状を有する光学部材が「第１光学部材」の一具体例となる構成であってもよい。
【００５０】
また、本実施形態のレンズバレルでは、第２レンズ２２及び押さえ環１３が、それぞれ「第２光学部材」及び「第３光学部材」の一具体例である構成について説明したが、押さえ環１３及び第２レンズ２２が、それぞれ「第２光学部材」及び「第３光学部材」の一具体例となる構成であってもよい。この場合、防水パッキン１１は、押さえ環１３と第１レンズ２１との間に設けられる。また、第１レンズ２１のフロント側の周縁部、及び段差１３ｃが、それぞれ「第１接触面」及び「第２接触面」の一具体例となる。そして、防水パッキン１１は、段差１３ｃ、第１レンズ２１のフロント側の周縁部及び筒部１２ａをそれぞれ付勢する。
【００５１】
また、本実施形態のレンズバレルでは、第１レンズ２１、第２レンズ２２、第３レンズ２３、第４レンズ２４及び押さえ環１３の各々が、「光学部材」の一具体例である構成について説明したが、「光学部材」は、レンズまたは押さえ環の他に、たとえば光学フィルタである構成であってもよい。
【００５２】
また、本実施形態のレンズバレルでは、第１レンズ２１が最も被写体側に位置する構成について説明したが、第１レンズ２１は、被写体側から２番目以降に位置する構成であってもよい。この場合、防水パッキン１１は、被写体側から２番目以降に位置するレンズのリア側に設けられる。
【００５３】
また、本実施形態のレンズバレルでは、押さえ環１３が、レンズ枠１２に直接に固定される構成について説明したが、押さえ環１３が、レンズ枠１２に間接に固定される構成であってもよい。
【００５４】
また、本実施形態のレンズバレルでは、筒部１２ａが４枚のレンズを収容する構成について説明したが、筒部１２ａが、１枚のレンズを収容する構成であってもよい。
【００５５】
また、本実施形態のレンズバレルは、車載用または監視用などの撮像装置で利用される。たとえば、車載用の撮像装置で利用された場合、高温環境で利用されたり、雨天時に第１レンズ２１の周囲が雨ざらしになったりする可能性があるため、本実施形態の効果が特に発揮されることになる。
【産業上の利用可能性】
【００５６】
本発明は、車載用の撮像装置及びモバイル用途の撮像装置などとして好適に利用される。
【符号の説明】
【００５７】
１…レンズバレル
１１…防水パッキン
１２…レンズ枠
１２ａ…筒部
１２ｂ…段差
１２ｃ…大径部
１２ｄ…小径部
１２ｅ…テーパー部
１２ｆ…第３接触面
１２ｇ…端部
１３…押さえ環
１３ａ…筒部
１３ｂ…テーパー部
１３ｃ…段差
１６…間隔環
２１…第１レンズ
２１ａ…第１接触面
２１ｂ…端部
２２…第２レンズ
２２ａ…第２接触面
２３…第３レンズ
２４…第４レンズ
４１…基板
４２…撮像素子
【図１】
2019219486.tif 000003
【図２】
2019219486.tif 000004